(57)【要約】【課題】フェムトセルに優先的に在圏すること。【解決手段】本発明に係る移動局ＵＥは、「セルＩＤ（＃１）」と「ＳＣ１」とを含む第１待受セル情報を管理する待受セル情報管理部１１と、所定タイミングで、第１待受セル情報に含まれる「セルＩＤ（＃１）」及び「ＳＣ１」を用いた第１待受処理を行う待受処理部１２と、第１待受処理に失敗した場合、所定アドレス宛ての発信信号を送信する発信部１３と、ネットワーク装置１０によって発信信号に応じて送信された第２待受セル情報を取得する待受セル情報取得部１４とを具備し、待受処理部１２は、待受セル情報取得部１４によって第２待受セル情報が取得された場合、第２待受セル情報に含まれる「セルＩＤ（＃１）」及び「ＳＣ１１」を用いた第２待受処理を行う。【選択図】図４
2011010205.tif 000002
【特許請求の範囲】
【請求項１】
セルＩＤと第１スクランブルコードとを含む第１待受セル情報を管理するように構成されている待受セル情報管理部と、
所定タイミングで、前記第１待受セル情報に含まれる前記セルＩＤ及び前記第１スクランブルコードを用いた第１待受処理を行うように構成されている待受処理部と、
前記第１待受処理に失敗した場合、所定アドレス宛ての発信信号を送信するように構成されている発信部と、
ネットワーク装置によって前記発信信号に応じて送信された第２待受セル情報を取得するように構成されている待受セル情報取得部とを具備し、
前記待受処理部は、前記待受セル情報取得部によって前記第２待受セル情報が取得された場合、該第２待受セル情報に含まれる前記セルＩＤ及び第２スクランブルコードを用いた第２待受処理を行うように構成されていることを特徴とする移動局。
【請求項２】
前記第１待受セル情報は、更に、第１周波数ＩＤを含み、前記第２待受セル情報は、更に、第２周波数ＩＤを含み、
前記待受処理部は、前記第１待受セル情報に含まれる前記セルＩＤと前記第１スクランブルコードと前記第１周波数ＩＤとを用いた前記第１待受処理、及び、前記第２待受セル情報に含まれる該セルＩＤと前記第２スクランブルコードと前記第２周波数ＩＤとを用いた前記第２待受処理を行うように構成されていることを特徴とする請求項１に記載の移動局。
【請求項３】
前記待受セル情報管理部は、前記第２待受処理に成功した場合に、前記第１待受セル情報を前記第２待受セル情報に変更するように構成されていることを特徴とする請求項１又は２に記載の移動局。
【発明の詳細な説明】
【技術分野】
【０００１】
本発明は、移動局、特に、フェムトセルにおいて通信可能な移動局に関する。
【背景技術】
【０００２】
近年、移動通信システムにおいて、半径数百ｍ〜十数ｋｍの大きさの「マクロセル」において通信サービスを提供する既存のマクロセル用無線基地局に加えて、半径数十ｍ程度の極めて小さな大きさの「フェムトセル」において通信サービスを提供するフェムトセル用無線基地局が設置されることが検討されている。
【０００３】
このようなフェムトセル用無線基地局は、通信事業者によって設置されるのではなく、通信事業者の加入者によって設置されることが想定されている。
【０００４】
そのため、通常、マクロセルの周波数帯域は、当該マクロセル配下の多数の移動局によって共用されるのに対して、フェムトセル用無線基地局を設置した加入者は、フェムトセルの周波数帯域を占有することができる。
【０００５】
また、かかるフェムトセル用無線基地局は、専用線ではなく、かかる加入者のユーザ回線を用いて、通信事業者のコアネットワークに接続されることが想定されているため、通信事業者における設備負担を軽減することができ、かかる加入者の通信料金の低廉化を実施することができる。
【先行技術文献】
【特許文献】
【０００６】
【特許文献１】特開２００４-２８９２２６号公報
【発明の概要】
【発明が解決しようとする課題】
【０００７】
しかしながら、現在の移動通信システムで用いられている移動局では、優先的に、フェムトセルに在圏するための機能が具備されていないため、上述の加入者の移動局が、フェムトセルに在圏することができるエリアにいる場合であっても、フェムトセルを介した通信サービスを利用することができない場合があるという問題点があった。
【０００８】
そこで、本発明は、上述の課題に鑑みてなされたものであり、フェムトセルに優先的に在圏することができる移動局を提供することを目的とする。
【課題を解決するための手段】
【０００９】
本発明の第１の特徴は、移動局であって、セルＩＤと第１スクランブルコードとを含む第１待受セル情報を管理するように構成されている待受セル情報管理部と、所定タイミングで、前記第１待受セル情報に含まれる前記セルＩＤ及び前記第１スクランブルコードを用いた第１待受処理を行うように構成されている待受処理部と、前記第１待受処理に失敗した場合、所定アドレス宛ての発信信号を送信するように構成されている発信部と、ネットワーク装置によって前記発信信号に応じて送信された第２待受セル情報を取得するように構成されている待受セル情報取得部とを具備し、前記待受処理部は、前記待受セル情報取得部によって前記第２待受セル情報が取得された場合、該第２待受セル情報に含まれる前記セルＩＤ及び第２スクランブルコードを用いた第２待受処理を行うように構成されていることを要旨とする。
【発明の効果】
【００１０】
以上説明したように、本発明によれば、フェムトセルに優先的に在圏することができる移動局を提供することができる。
【図面の簡単な説明】
【００１１】
【図１】本発明の第１の実施形態に係る移動通信システムの全体構成図である。
【図２】本発明の第１の実施形態に係る移動局の機能ブロック図である。
【図３】本発明の第１の実施形態に係る移動局の待受セル情報管理部によって管理されている待受セル情報の一例を示す図である。
【図４】本発明の第１の実施形態に係る移動局の動作を示すフローチャートである。
【発明を実施するための形態】
【００１２】
（本発明の第１の実施形態に係る移動通信システムの構成）
図１乃至図３を参照して、本発明の第１の実施形態に係る移動通信システムの構成について説明する。
【００１３】
図１に示すように、本実施形態に係る移動通信システムは、ネットワーク装置１０と、マクロセル＃Ａにおいて通信サービスを提供するマクロセル用無線基地局ＮＢ＃Ａと、マクロセル＃Ｂにおいて通信サービスを提供するマクロセル用無線基地局ＮＢ＃Ｂと、フェムトセル＃１において通信サービスを提供するフェムトセル用無線基地局ＮＢ＃１と、フェムトセル＃２において通信サービスを提供するフェムトセル用無線基地局ＮＢ＃２とを具備している。
【００１４】
本実施形態に係る移動通信システムが、ＷＣＤＭＡ方式の移動通信システムである場合には、ネットワーク装置１０は、無線制御局ＲＮＣであってもよいし、コアネットワークとの間のゲートウェイ装置であってもよい。
【００１５】
また、本実施形態に係る移動通信システムが、ＬＴＥ（Ｌｏｎｇ  Ｔｅｒｍ  Ｅｖｏｌｕｔｉｏｎ）方式の移動通信システムである場合には、ネットワーク装置１０は、交換局ＭＭＥであってもよいし、コアネットワークとの間のゲートウェイ装置であってもよい。
【００１６】
また、マクロセル用無線基地局ＮＢ＃Ａ及びＮＢ＃Ｂ、及び、フェムトセル用無線基地局ＮＢ＃１及びＮＢ＃２は、ＷＣＤＭＡ方式の移動通信システムで用いられるものであってもよいし、ＬＴＥ方式の移動通信システムで用いられるものであってもよい。
【００１７】
移動局ＵＥは、図２に示すように、待受セル情報管理部１１と、待受処理部１２と、特番発信部１３と、待受セル情報取得部１４とを具備している。
【００１８】
待受セル情報管理部１１は、図３に示すように、「ＦＩＤ（周波数ＩＤ）」と「スクランブルコード」と「セルＩＤ」とを関連付ける複数の待受セル情報を管理するように構成されている。
【００１９】
ここで、待受セル情報管理部１１は、フェムトセル用の待受セル情報（第１待受セル情報）と、マクロセル用の待受セル情報とを別々に管理するように構成されていてもよい。
【００２０】
「セルＩＤ」は、待受対象のセルを特定するための情報である。各セルを識別するための「セルＩＤ」は、ユニークであり、固定値である。
【００２１】
「スクランブルコード」は、待受対象のセル（すなわち、「セルＩＤ」によって特定されるセル）で用いられるスクランブルコードを特定するための情報である。各セルで用いられる「スクランブルコード」は、コアネットワーク又はネットワーク装置１０によって、各セルに対して割り当てられるものであり、可変である。
【００２２】
「ＦＩＤ」は、待受対象のセル（すなわち、「セルＩＤ」によって特定されるセル）で用いられる周波数を特定するための情報である。ここで、「ＦＩＤ」は、コアネットワーク又はネットワーク装置１０によって、各セルに対して割り当てられるものであり、可変である。
【００２３】
なお、マクロセルで用いられる周波数群とフェムトセルで用いられる周波数群とが異なるように管理されていてもよい。同様に、マクロセルで用いられるスクランブルコード群とフェムトセルで用いられるスクランブルコード群とが異なるように管理されていてもよい。
【００２４】
また、待受セル情報管理部１１は、待受セル情報内に、「ＦＩＤ」或いは「スクランブルコード」を含まないように構成されていてもよい。
【００２５】
待受処理部１２は、待受セル情報管理部１１を参照して、待受処理を行うように構成されている。
【００２６】
具体的には、かかる待受処理は、待受セル情報管理部１１によって管理されている待受セル情報内の「ＦＩＤ」と「スクランブルコード」を用いて、かかる待受セル情報内の「セルＩＤ」によって特定されるセルをサーチし、発見したセルにおける待ち受けを開始する処理である。
【００２７】
ここで、待受セル情報管理部１１によって複数の待受セル情報が管理されている場合、待受処理部１２は、所定の優先順位に基づいて、かかる待受セル情報内の「セルＩＤ」によって特定されるセルを、順番にサーチするように構成されていてもよい。
【００２８】
例えば、待受処理部１２は、所定タイミングで、フェムトセルを優先的にサーチし、待ち受け可能なフェムトセルを発見することができなかった場合に、マクロセルをサーチするように構成されていてもよい。
【００２９】
図３に示す例において、「セルＩＤ（＃１）」によって特定されるセルが、フェムトセルである場合には、待受処理部１２は、「セルＩＤ（＃１）」を含む第１待受セル情報に含まれる「ＳＣ１（第１スクランブルコード）」及び「ｆ１（第１周波数ＩＤ）」を用いた待受処理（第１待受処理）を行うように構成されている。
【００３０】
特番発信部１３は、待受処理部１２が、待受セル情報管理部１１によって管理されているフェムトセルに対する待受処理（第１待受処理）に失敗した場合、「１１１」等の特番（所定アドレス）宛ての発信信号を送信するように構成されている。
【００３１】
ここで、特番発信部１３は、待受処理（第１待受処理）が失敗した場合に、自動的に、特番（所定アドレス）宛ての発信信号を送信するように構成されていてもよいし、ユーザによる所定操作に応じて、特番（所定アドレス）宛ての発信信号を送信するように構成されていてもよい。
【００３２】
なお、待受セル情報管理部１１が、複数のフェムトセル用の待受セル情報を管理している場合で、かつ、待受処理部１２が、例えば、１つや過半数や全部を含む所定数のフェムトセルに対する待受処理に失敗した場合に、特番（所定アドレス）宛ての発信信号を送信するように構成されていてもよい。
【００３３】
待受セル情報取得部１４は、ネットワーク装置１０によって当該発信信号に応じて送信された第２待受セル情報を取得するように構成されている。
【００３４】
なお、ネットワーク装置１０は、移動局ＵＥの位置情報（例えば、ＧＰＳ情報等）に応じて、移動局ＵＥが待ち受け可能なセルに係る情報に基づいて、かかる第２待受セル情報を決定して、移動局ＵＥに対して送信するように構成されている。
【００３５】
ここで、待受処理部１２は、待受セル情報取得部１４によって第２待受セル情報が取得された場合、かかる第２待受セル情報に含まれる「セルＩＤ（＃１）」及び「ＳＣ１１（第２スクランブルコード）」を用いた待受処理（第２待受処理）を行うように構成されている。
【００３６】
また、待受セル情報管理部１１は、待受処理部１２による上述の第２待受処理に成功した場合に、上述の第１待受セル情報を当該第２待受セル情報に変更するように構成されている。
【００３７】
すなわち、かかる場合、待受セル情報管理部１１は、「セルＩＤ（＃１）」と「ＳＣ１（第１スクランブルコード）」と「ｆ１（第１周波数ＩＤ）」とを含む第１待受セル情報を、「セルＩＤ（＃１）」と「ＳＣ１１（第２スクランブルコード）」と「ｆ１１（第２周波数ＩＤ）」とを含む第２待受セル情報に変更するように構成されている。
【００３８】
なお、待受セル情報管理部１１は、待受処理部１２による上述の第２待受処理に失敗した場合には、上述の第１待受セル情報を削除するように構成されていてもよい。
【００３９】
（本発明の第１の実施形態に係る移動通信システムの動作）
図４を参照して、本発明の第１の実施形態に係る移動通信システムにおいて、マクロセルにおいて待ち受けを行っている移動局ＵＥの動作について説明する。
【００４０】
図４に示すように、ステップＳ１０１において、待受処理部１２は、所定タイミングで、待受セル情報管理部１１によって管理されている１つ又は複数のフェムトセルに対する待受処理（第１待受処理）を行う。
【００４１】
所定数のフェムトセルに対する待受処理の少なくとも１つに成功した場合、本動作は、ステップＳ１０５に進み、それ以外の場合、本動作は、ステップＳ１０２に進む。
【００４２】
ステップＳ１０２において、特番発信部１３は、特番（所定アドレス）宛ての発信信号を送信する。
【００４３】
ステップＳ１０３において、待受セル情報取得部１４は、ネットワーク装置１０によって当該発信信号に応じて送信された第２待受セル情報を取得する。
【００４４】
ステップＳ１０４において、待受処理部１２は、待受セル情報取得部１４によって第２待受セル情報が取得された場合、かかる第２待受セル情報に含まれる「セルＩＤ（＃１）」及び「ＳＣ１１（第２スクランブルコード）」を用いた待受処理（第２待受処理）を行う。
【００４５】
かかるフェムトセルに対する第２待受処理に成功した場合、本動作は、ステップＳ１０５に進み、それ以外の場合、本動作は、ステップＳ１０６に進む。
【００４６】
ステップＳ１０５において、待受処理部１２は、ステップＳ１０１又はステップＳ１０４における待受処理に成功したフェムトセルにおける待ち受けを継続する。
【００４７】
ステップＳ１０６において、待受処理部１２は、現在行われているマクロセルにおける待ち受けを継続する。
【００４８】
（本発明の第１の実施形態に係る移動通信システムの作用・効果）
本発明の第１の実施形態に係る移動通信システムで用いられる移動局ＵＥによれば、待受処理部１２が、マクロセルにおいて待ち受けを行っている場合であっても、所定タイミングで、フェムトセル用の待受セル情報（第１待受セル情報）に含まれる「セルＩＤ（＃１）」及び「ＳＣ１」を用いた第１待受処理を行うように構成されているため、フェムトセルに優先的に在圏することができる。
【００４９】
また、本発明の第１の実施形態に係る移動通信システムで用いられる移動局ＵＥによれば、コアネットワーク又はネットワーク装置１０によって、フェムトセルに対して割り当てられる「ＳＣ（スクランブルコード）」や「ＦＩＤ（周波数ＩＤ）」が変更された場合であっても、待受処理部１２が、特番発信部１３によって送信された特番を含む発信番号に応じてネットワーク装置１０から送信された当該フェムトセル用の待受セル情報（第２待受セル情報）に含まれる「セルＩＤ（＃１）」及び「ＳＣ１１（第２スクランブルコード）」を用いた第２待受処理を行うように構成されているため、かかるフェムトセルに在圏することができる。
【００５０】
以上に述べた本実施形態の特徴は、以下のように表現されていてもよい。
【００５１】
本実施形態の第１の特徴は、移動局ＵＥであって、「セルＩＤ（＃１）」と「ＳＣ１（第１スクランブルコード）」とを含む第１待受セル情報を管理するように構成されている待受セル情報管理部１１と、所定タイミングで、かかる第１待受セル情報に含まれる「セルＩＤ（＃１）」及び「ＳＣ１」を用いた第１待受処理を行うように構成されている待受処理部１２と、かかる第１待受処理に失敗した場合、特番（所定アドレス）宛ての発信信号を送信するように構成されている特番発信部１３と、ネットワーク装置１０によって当該発信信号に応じて送信された第２待受セル情報を取得するように構成されている待受セル情報取得部１４とを具備し、待受処理部１２は、待受セル情報取得部１４によって第２待受セル情報が取得された場合、かかる第２待受セル情報に含まれる「セルＩＤ（＃１）」及び「ＳＣ１１（第２スクランブルコード）」を用いた第２待受処理を行うように構成されていることを要旨とする。
【００５２】
本発明の第１の特徴において、上述の第１待受セル情報は、更に、「ｆ１（第１周波数ＩＤ、第１ＦＩＤ）」を含み、上述の第２待受セル情報は、更に、「ｆ１１（第２周波数ＩＤ、第２ＦＩＤ）」を含み、待受処理部１２は、上述の第１待受セル情報に含まれる「セルＩＤ（＃１）」と「ＳＣ１」と「ｆ１」とを用いた第１待受処理、及び、上述の第２待受セル情報に含まれる「セルＩＤ（＃１）」と「ＳＣ１１」と「ｆ１１」とを用いた第２待受処理を行うように構成されていてもよい。
【００５３】
本発明の第１の特徴において、待受セル情報管理部１１は、上述の第２待受処理に成功した場合に、上述の第１待受セル情報を当該第２待受セル情報に変更するように構成されていてもよい。
【００５４】
なお、上述の移動局ＵＥや無線基地局ＮＢやネットワーク装置１０の動作は、ハードウェアによって実施されてもよいし、プロセッサによって実行されるソフトウェアモジュールによって実施されてもよいし、両者の組み合わせによって実施されてもよい。
【００５５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ＮＢやネットワーク装置１０内に設けられていてもよい。また、かかる記憶媒体及びプロセッサは、ディスクリートコンポーネントとして移動局ＵＥや無線基地局ＮＢやネットワーク装置１０内に設けられていてもよい。
【００５７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５８】
１０…ネットワーク装置
ＵＥ…移動局
１１…待受セル情報管理部
１２…待受処理部
１３…特番発信部
１４…待受セル情報取得部
【図１】
2011010205.tif 000003
【図２】
2011010205.tif 000004
【図３】
2011010205.tif 000005
【図４】
2011010205.tif 000006